(57)【特許請求の範囲】
【請求項１】
ケース内に計時部を収容した時計本体と、前記ケースに一体的に設けられたかんと、バンドとを有し、前記バンドを前記かんに取り付けて成る携帯時計において、
前記バンドに取り付けられた取付部と、前記取付部とかんのいずれか一方に係合ピンを設けると共に、他方に前記係合ピンに係合する係合穴を設けて成り、
前記係合ピンは大径部と小径部を有し、
前記係合穴は、前記大径部よりも大きな大径穴と、前記大径部よりも小さく且つ前記小径部よりも大きな小径穴と、前記小径部よりも狭い幅を有すると共に前記小径部が通過するときに拡開し、前記大径穴と小径穴を連結する連結穴とを有し、
前記係合ピンと前記小径穴を係合させることによって前記バンドが前記かんに取り付けられて前記携帯時計の装着が可能となった状態で、前記携帯時計の脱落を防止するため、前記大径穴中心から前記取付部の最寄りの端部までの距離と前記小径穴の中心から前記取付部の最寄りの端部までの距離は、前記小径穴の中心から前記取付部の最もケース寄りの端部までの距離よりも短く形成されていることを特徴とする携帯時計。
【請求項２】
前記連結穴近傍にばね形成用穴を設けることにより、前記連結穴及びばね形成用穴間にばね部を形成して成り、
前記ばね部は、前記係合ピンが前記連結穴を通過する際に前記係合ピンによって押し拡げられて、前記連結穴を拡開することを特徴とする請求項１記載の携帯時計。
【請求項３】
ケース内に計時部を収容した時計本体と、前記ケースに一体的に設けられたかんと、バンドとを有し、前記バンドを前記かんに取り付けて成る携帯時計において、
前記ケースの対向する両側に設けられた第１、第２のかんと、前記バンドの両端部に設けられた第１、第２の取付部とを有し、
前記第１の取付部と前記第１のかんのいずれか一方に第１の係合ピンを設けると共に、他方に前記第１の係合ピンに係合する第１の係合穴を設け、
前記第２の取付部と前記第２のかんのいずれか一方に第２の係合ピンを設けると共に、他方に前記第２の係合ピンに係合する第２の係合穴を設け、
前記第１、第２の係合ピンは各々、第１、第２の大径部と第１、第２の小径部を有し、
前記第１、第２の係合穴は各々、前記第１、第２の大径部よりも大きな第１、第２の大径穴と、各々前記第１、第２の大径部よりも小さく且つ前記第１、第２の小径部よりも大きな第１、第２の小径穴と、各々前記第１、第２の小径部よりも狭い幅を有すると共に前記第１、第２の小径部が通過するときに拡開し、前記第１、第２の大径穴と第１、第２の小径穴を連結する第１、第２の連結穴とを有し、
前記第１、第２の係合ピンと前記第１、第２の小径穴を各々係合させることによって前記バンドが前記かんに取り付けられて前記携帯時計の装着が可能となった状態で、前記携帯時計の脱落を防止するため、前記第１、第２の大径穴の中心から前記第１、第２の取付部の最寄りの端部までの各距離と前記第１、第２の小径穴の中心から前記第１、第２の取付部の最寄りの端部までの各距離は、各々、前記第１、第２の小径穴の中心から前記取付部の最もケース寄りの端部までの距離よりも短く形成されていることを特徴とする携帯時計。
【請求項４】
前記第１、第２の連結穴近傍に各々第１、第２のばね形成用穴を設けることにより、前記第１、第２の連結穴及び第１、第２のばね形成用穴間に第１、第２のばね部を形成して成り、
前記第１、第２のばね部は各々、前記第１、第２の係合ピンが前記第１、第２の連結穴を通過する際に前記第１、第２の係合ピンによって押し拡げられて、前記第１、第２の連結穴を拡開することを特徴とする請求項３記載の携帯時計。
【発明の詳細な説明】
【０００１】
【発明の属する技術分野】
本発明は、腕時計をはじめとする携帯時計のバンド着脱構造に関する。
【０００２】
【従来の技術】
従来から、腕時計等の携帯時計のバンド取付構造においては、時計本体のケースにバンドを取り付ける場合、前記バンドの前記ケース側への取付は、ばね棒等を介して行われる。携帯時計の腕等への着脱時は、前記バンドに取り付けられた専用の中留及び尾錠等を用いて行う。
これにより、腕への装着等を行うことが可能である。
【０００３】
【発明が解決しようとする課題】
しかしながら、バンドを交換する場合には、ワンタッチでバンドを着脱することが困難であり、専用の治具が必要になるという問題がある。
また、中留及び尾錠を用いた構成では、常時同じ箇所でバンドを固定するため、バンドがレザーバンドの場合に該バンドの傷みが早いという問題がある。
さらに、時計本体のケースとバンドの一体感が乏しいという問題がある。
【０００４】
本発明は、時計本体とバンドを容易に着脱可能にすることを課題としている。
また、本発明は、バンドの傷みを少なくできるようにすることを課題としている。
また、本発明は、バンドが時計本体のケースと一体感があるように構成可能にすることを課題としている。
【０００５】
【課題を解決するための手段】
本発明によれば、ケース内に計時部を収容した時計本体と、前記ケースに一体的に設けられたかんと、バンドとを有し、前記バンドを前記かんに取り付けて成る携帯時計において、前記バンドに取り付けられた取付部と、前記取付部とかんのいずれか一方に係合ピンを設けると共に、他方に前記係合ピンに係合する係合穴を設けて成り、前記係合ピンは大径部と小径部を有し、前記係合穴は、前記大径部よりも大きな大径穴と、前記大径部よりも小さく且つ前記小径部よりも大きな小径穴と、前記小径部よりも狭い幅を有すると共に前記小径部が通過するときに拡開し、前記大径穴と小径穴を連結する連結穴とを有することを特徴とする携帯時計のバンド着脱構造が提供される。取付部又はかんに設けられた連結穴は、かん又は取付部に設けられた小径部が通過するときに拡開し、前記小径部は小径穴に係合する。
【０００６】
ここで、前記係合ピンと前記小径穴を係合させることによって前記取付部の前記かんへの取付けが完了した状態で、前記大径穴中心から前記取付部の最寄りの端部までの距離と前記小径穴の中心から前記取付部の最寄りの端部までの距離は、前記小径穴の中心から前記取付部の最もケース寄りの端部までの距離よりも短く形成するようにしてもよい。
また、前記連結穴近傍にばね形成用穴を設けることにより、前記連結穴及びばね形成用穴間にばね部を形成して成り、前記ばね部は、前記係合ピンが前記連結穴を通過する際に前記係合ピンによって押し拡げられて、前記連結穴を拡開するように構成してもよい。
【０００７】
また、本発明によれば、ケース内に計時部を収容した時計本体と、前記ケースに一体的に設けられたかんと、バンドとを有し、前記バンドを前記かんに取り付けて成る携帯時計において、前記ケースの対向する両側に設けられた第１、第２のかんと、前記バンドの両端部に設けられた第１、第２の取付部とを有し、前記第１の取付部と前記第１のかんのいずれか一方に第１の係合ピンを設けると共に、他方に前記第１の係合ピンに係合する第１の係合穴を設け、前記第２の取付部と前記第２のかんのいずれか一方に第２の係合ピンを設けると共に、他方に前記第２の係合ピンに係合する第２の係合穴を設け、前記第１、第２の係合ピンは各々、第１、第２のの大径部と第１、第２の小径部を有し、前記第１、第２の係合穴は各々、前記第１、第２の大径部よりも大きな第１、第２の大径穴と、各々前記第１、第２の大径部よりも小さく且つ前記第１、第２の小径部よりも大きな第１、第２の小径穴と、各々前記第１、第２の小径部よりも狭い幅を有すると共に前記第１、第２の小径部が通過するときに拡開し、前記第１、第２の大径穴と第１、第２の小径穴を連結する第１、第２の連結穴とを有することを特徴とする携帯時計のバンド着脱構造が提供される。第１、第２の取付部又は第１、第２のかんに設けられた連結穴は、第１、第２のかん又は第１、第２の取付部に設けられた小径部が通過するときに拡開し、前記小径部は小径穴に係合する。
【０００８】
ここで、前記第１、第２の係合ピンと前記第１、第２の小径穴を各々係合させることによって前記取付部の前記かんへの取付けが完了した状態で、前記第１、第２の大径穴の中心から前記第１、第２の取付部の最寄りの端部までの各距離と前記第１、第２の小径穴の中心から前記第１、第２の取付部の最寄りの端部までの各距離は、各々、前記第１、第２の小径穴の中心から前記取付部の最もケース寄りの端部までの距離よりも短く形成するようにしてもよい。
また、前記第１、第２の連結穴近傍に各々第１、第２のばね形成用穴を設けることにより、前記第１、第２の連結穴及び第１、第２のばね形成用穴間に第１、第２のばね部を形成して成り、前記第１、第２のばね部は各々、前記第１、第２の係合ピンが前記第１、第２の連結穴を通過する際に前記第１、第２の係合ピンによって押し拡げられて、前記第１、第２の連結穴を拡開するように構成してもよい。
【０００９】
【発明の実施の形態】
図１は、本発明の第１の実施の形態に係る携帯時計のバンド着脱構造を示す平面図で、腕時計の例を示している。また、図２は図１におけるＸ−Ｘ断面図で、図１と同一部分には同一符号を付している。
図１及び図２において、１０１はムーブメント等の計時部を収容するための時計本体のケース１０１、１０２はケース１０１に一体的に設けられたかん、１０３は中留め、１１７は前記時計本体を腕等に装着するためのバンドである。バンド１１７は中留め１０３に取り付けられたばね棒１１６に取り付けられている。
【００１０】
かん１０２の中留め１０３側には、所定大きさの径を有する円板状部材によって形成された大径部１１４と、大径部１１４よりも小さい所定径の円柱状部材によって形成された小径部１１５とを有する段付きピン１０４が一体的に形成されている。段付きピン１０４は係合ピンを構成している。
中留め１０３内には板状のバンド中留めプレート１０５が一体的に収容されている。中留め１０３及びバンド中留めプレート１０５は取付部を構成している。
バンド中留めプレート１０５は係合穴１０６を有している。係合穴１０６は、大径部１１４よりも大きな大径穴１０７と、大径部１１４よりも小さく且つ小径部１１５よりも大きな小径穴１０８と、小径部１１５の径よりも狭い幅を有すると共に大径穴１０７と小径穴１０８を連結する連結穴１０９によって構成されている。連結穴１０９は、所定以上の操作力が加えられて小径部１１５が通過するとき、拡開して小径部１１５の通過を許容する。
【００１１】
また、バンド中留めプレート１０５は、連結穴１０９近傍に複数のばね形成用穴１１０、１１１を有しており、これにより、連結穴１０９及び各ばね形成用穴１１０、１１１間には、ばね性を有する複数のばね部１１２、１１３が形成されている。ばね部１１２、１１３は、所定以上の操作力によってピン１０４が連結穴１０９を通過する際に、ピン１０４によって押し拡げられて連結穴１０９を拡開し又、ピン１０４が連結穴１０９を通過した後は元の状態に復帰して、前記押し拡げられた連結穴１０９を元の幅狭の状態に復帰させるように機能する。
【００１２】
本実施の形態では複数のばね形成用穴１１０、１１１を設けるように構成しているが、必ずしも複数のばね形成用穴１１０、１１１が必要とされるわけではなく、適度な操作力によるバンド１１７の着脱が可能であれば１つでもよい。また、バンド中留めプレート１０５が弾性を有する場合には、バンド中留めプレート１０５自体がばね部１１２、１１３の機能を果たすため、ばね形成用穴１１０、１１１は省略することも可能である。
【００１３】
バンド１１７がケース１０１に装着されている状態では、ピン１０４の小径部１１５が小径穴１０８に係合した状態にある。
バンド１１７をケース１０１に装着完了した状態（バンド１１７によって腕等への時計の装着が完了した状態（正規の取付け状態））、即ちピン１０４と小径穴１０８を係合させることによってバンド１１７の装着が完了した状態では、前記大径穴１０７の中心から前記取付部（特に、中留め１０３）の最寄りの端部までの距離Ｌ１と小径穴１０８の中心から前記取付部（特に、中留め１０３）の最寄りの端部までの距離Ｌ２は、各々、小径穴１０８の中心から前記取付部（特に、中留め１０３）の最もケース１０１寄りの端部までの距離Ｌよりも短くなりように形成されている。
【００１４】
換言すれば、大径部１１４の中心から中留め１０３の最寄りの端部までの距離Ｌ１と小径部１１５の中心から中留め１０３の最寄りの端部までの距離Ｌ２は、各々、小径部１１５の中心から中留め１０３の最もケース１０１寄りの端部までの距離Ｌよりも短くなるように形成されている。
また、前記正規の取付け状態では、小径穴１０８の中心からケース１０１に最寄りの中留め１０３の端部までの距離Ｌは、小径穴１０８の中心からケース１０１の最寄りの端部までの距離Ｌ３よりも短くなるように形成されている。
したがって、大径穴１０７の中心から中留め１０３の最寄りの端部までの距離Ｌ１と小径穴１０８の中心から中留め１０３の最寄りの端部までの距離Ｌ２は、各々、小径穴１０８の中心からケース１０１の最寄りの端部までの距離Ｌ３よりも短くなるように形成されている。
【００１５】
尚、図１及び図２には、かん１０２、中留め１０３、ピン１０４等の構成要素は各々１つしか示していないが、ケース１０１にはケース１０１の対向する両側に各々１つのかん１０２やピン１０４等の各構成要素が設けられ又、バンド１１７にはバンド１１７の両端部に各々１つの取付部等の構成要素が設けられている。これにより、前記各取付部を対応する各かんに装着することによってバンドの装着が行われる。
【００１６】
図３は、本第１の実施の形態に係る携帯時計のバンド着脱構造の装着過程を示す説明図である。図３において、同図（ａ）〜（ｄ）はバンド着脱構造の装着過程を示す平面図で又、同図（ｅ）〜（ｇ）は断面図である。尚、図３では、図１及び図２と同一部分に同一符号を付している。
以下、図１〜図３に沿って、本第１の実施の形態に係る携帯時計のバンド着脱構造の動作を説明する。
【００１７】
先ず、バンド１１７とケース１０１が分離されている状態（図３（ａ）、（ｅ））から、中留め１０３がケース１０１に当接しないように中留め１０３をケース１０１に対して相対的に傾けた状態で、大径部１０４が露出している側から、ピン１０４を大径穴１０７に挿入する（図３（ｂ）、（ｆ））。
この状態で所定以上の操作力により、小径部１１５が連結部１０９を経由して小径穴１０８に係合するように、中留め１０３とケース１０１を相対的に移動させる（図３（ｃ）、（ｇ））。
【００１８】
このとき、連結穴１０９は小径部１１５よりも狭い幅に形成されているが、所定以上の力で小径部１１５を小径穴１０８側に移動させることにより、小径部１１５が連結穴１０９を通過する際に、ばね部１１２、１１３が小径部１１５によって押し拡げられて連結穴１０９を拡開し、ピン１０４が連結穴１０９をスムーズに通過する。バネ部１１２、１１３は小径部１１５が連結穴１０９を通過した後に元の状態に復帰するため、連結穴１０９は、小径部１１５が連結穴１０９を通過して小径穴１０８に係合した後に元の幅狭の状態に戻る。
【００１９】
小径部１１５と小径穴１０８が係合した後、中留め１０３とケース１０１とを相対的に回転させて、中留め１０３とケースの位置関係を正規の取付け状態（バンド１１７の延長線がケース１０１に向いた状態）にする（図３（ｄ））。これにより、バンド１１７の一方はケース１０１への装着が完了する。
バンド１１７の他方の取付部の装着も前記同様にして行う。これにより、ケース１０１へのバンド１１７の装着が完了する。
【００２０】
バンド１１７をケース１０１に装着した状態、即ち小径部１１５と小径穴１０８を係合させた状態では、大径穴１０７の中心から中留め１０３の最寄りの端部までの距離Ｌ１と小径穴１０８の中心から中留め１０３の最寄りの端部までの距離Ｌ２は、各々、小径穴１０８の中心からケース１０１の最寄りの端部までの距離Ｌ３よりも短くなるように形成されている。また、この状態では、小径穴１０８の中心からケース１０１に最寄りの中留め１０３の端部までの距離Ｌは、小径穴１０８の中心からケース１０１の最寄りの端部までの距離Ｌ３よりも短くなるように形成されている。
【００２１】
したがって、小径部１１５と小径穴１０８との係合を解除して取付部（中留め１０３及びバンド中留めプレート１０５）をケース１０１から取り外すためには、中留め１０３を図３（ｃ）に示すような状態まで回転させなければならない。且つ、小径部１１５を大径穴１０７方向に移動させるためには、連結穴１０９を拡開するような所定の力を加えなければならない。したがって、通常の使用状態では、バンド１１７が不用意にケース１０１から脱落するような自体の発生を抑制することができる。
尚、バンド１１７をケース１０１から取り外す場合には、所定以上の操作力を用いて、前記装着操作とは逆の操作を行えばよい。
【００２２】
次に、本発明の第２の実施の形態に係る携帯時計のバンド着脱構造について説明する。
図４は、本発明の第２の実施の形態に係る携帯時計のバンド着脱構造を示す平面図で、図１〜図３と同一部分には同一符号を付している。
本第２の実施の形態が前記第１の実施の形態と相違する点は、中留め４０２の形状が円板の一部を切り取った形状である点と、中留め４０２に一体的に設けられたバンド中留めプレート４０１の形状が中留め４０２に合致した形状に構成されている点である。
ケース１０１に対するバンド１１７の着脱は、前記第１の実施の形態と同様にして行われる。このように、中留め４０２やバンド１１７のデザインを種々変更することにより、多種多様な携帯時計を構成することが可能になる。
【００２３】
以上述べたように、本発明の実施の形態に係る携帯時計のバンド着脱構造は、ケース１０１内に計時部を収容した時計本体と、ケース１０１に一体的に設けられたかん１０２と、バンド１１７とを有し、バンド１１７をかん１０２に取り付けて成る携帯時計において、バンド１１７に取り付けられた取付部（中留め１０３、バンド中留めプレート１０５）と、前記取付部とかん１０２のいずれか一方に係合ピン１０４を設けると共に、他方に係合ピン１０４に係合する係合穴１０６を設けて成り、係合ピン１０４は大径部１１４と小径部１１５を有し、係合穴１０６は、大径部１１４よりも大きな大径穴１０７と、大径部１１４よりも小さく且つ小径部１１５よりも大きな小径穴１０８と、小径部１１５よりも狭い幅を有すると共に小径部１１５が通過するときに拡開し、大径穴１０７と小径穴１０８を連結する連結穴１０９とを有することを特徴としている。
したがって、時計の使用者が特別な器具を使用せずに、時計本体からバンドを容易に着脱することが可能になる。
また、時計本体と一体感のあるバングル調のバンド１１７を用いることが可能になる。
また、時計本体とバンド１１７の組み合わせを種々に変更することが可能になる。
【００２４】
また、係合ピン１０４と小径穴１０８を係合させることによって前記取付部のかん１０２への取付けが完了した状態で、大径穴１０７の中心から前記取付部の最寄りの端部までの距離Ｌ１と小径穴１０８の中心から前記取付部の最寄りの端部までの距離Ｌ２は、各々、小径穴１０８の中心から前記取付部の最もケース１０１寄りの端部までの距離Ｌよりも短く形成されている。
したがって、不用意にバンド１１７が脱落することを抑制することが可能になる。
また、尾錠等を用いないため、バンド１１７の傷みを少なくすることが可能になる。
【００２５】
尚、ケース１０１の対向する両側に前記かん（第１、第２のかん）を設けると共に、バンド１１７の両端部に前記取付部（第１、第２の取付部）を設けるようにすることが好ましい。
また、前記各実施の形態では、ピン１０４をかん１０２に一体的に形成すると共にバンド中留めプレート１０５に係合穴１０６を形成するように構成したが、ピン１０４をバンド中留めプレート１０５に一体的に形成すると共にかん１０２に係合穴を形成するように構成してもよい。
また、一方のかんにピンを一体的に形成すると共に他方のかんには係合穴を形成し、前記一方のかんに係合するバンド中留めプレートには係合穴を形成すると共に前記他方のかんに係合するバンド中留めプレートにはピンを形成するように構成してもよい。
【００２６】
【発明の効果】
本発明によれば、時計本体とバンドを容易に着脱することが可能になる。また、バンドが不用意に脱落することを防止することが可能になる。また、バンドと時計本体に一体感を持たせるように構成することが容易になる。さらに、バンドの傷みを少なくすることが可能になる。
【図面の簡単な説明】
【図１】本発明の第１の実施の形態に係る携帯時計のバンド着脱構造を示す平面図である。
【図２】図１のＸ−Ｘ断面図である。
【図３】本発明の第１の実施の形態に係る携帯時計のバンド着脱構造の装着過程を示す説明図である。
【図４】本発明の第２の実施の形態に係る携帯時計のバンド着脱構造を示す平面図である。
【符号の説明】
１０１・・・ケース
１０２・・・かん
１０３、４０２・・・取付部を構成する中留め
１０４・・・係合ピンを構成する段付きピン
１０５、４０１・・・取付部を構成するバンド中留めプレート
１０６・・・係合穴
１０７・・・大径穴
１０８・・・小径穴
１０９・・・連結穴
１１０、１１１・・・ばね形成用穴
１１２、１１３・・・ばね部
１１４・・・大径部
１１５・・・小径部
１１６・・・ばね棒
１１７・・・バンド
【図１】
0003908544.tif 000002
【図２】
0003908544.tif 000003
【図３】
0003908544.tif 000004
【図４】
0003908544.tif 000005